(57)【特許請求の範囲】
【請求項１】
４つのＸ線扇形ビームを用いた螺旋走査で収集された投影データから物体の断層写真像を作成する方法であって、
（ａ） 各々のＸ線扇形ビームから得られたデータに対応する投影データ配列を発生する工程と、
（ｂ） 工程（ａ）で発生された前記投影データ配列の各々に加重関数を適用して、それぞれの加重投影データ配列を発生する工程であって、各々のデータの組に適応される加重係数は、Ｗ１（β，γ）、Ｗ２（β，γ）、Ｗ３（β，γ）及びＷ４（β，γ）として表すと、
テーブル送り速度ｓ及び検出器のＺ軸間隔ｄが、式（４π／（π−２γm ））ｄ＜ｓ＜（６π／（π−２γm ））ｄの関係を満たすとき（γm は扇形角度の半分）であって、
β≦β３-のとき、 Ｗ１（β，γ）＝０
β３-＜β≦β１のとき、Ｗ１（β，γ）＝（１／２）・（β−β３-）／（β１−β３-）
β１＜β＜β２のとき、Ｗ１（β，γ）＝（１／２）・（β−β２）／（β１−β２）
β≧β２のとき、 Ｗ１（β，γ）＝０
β≦β３-のとき、 Ｗ２（β，γ）＝０
β３-＜β≦β２のとき、Ｗ２（β，γ）＝ｗ２1（β，γ）＋ｗ２2（β，γ）
β２＜β＜β３のとき、 Ｗ２（β，γ）＝（β−β３）／（β２−β３）
β≧β３のとき、 Ｗ２（β，γ）＝０
ここで、
β≦β１のとき、 ｗ２1（β，γ）＝０
β１＜β≦β２のとき、 ｗ２1（β，γ）＝（１／２）・（β−β１）／（β２−β１）
β≧β２のとき、 ｗ２1（β，γ）＝０
β≦β４-のとき、 ｗ２2（β，γ）＝０
β４-＜β≦β２のとき、ｗ２2（β，γ）＝（１／２）・（β−β４-）／（β２−β４-）
β＞β２のとき、 ｗ２2（β，γ）＝０
β≦β２のとき、 Ｗ３（β，γ）＝０
β２＜β＜β３のとき、 Ｗ３（β，γ）＝（β−β３）／（β２−β３）
β３≦β＜β２+のとき、Ｗ３（β，γ）＝ｗ３1（β，γ）＋ｗ３2（β，γ）
β≧β２+のとき、 Ｗ３（β，γ）＝０
ここで、
β＜β３のとき、 ｗ３1（β，γ）＝０
β３≦β＜β１+のとき、ｗ３1（β，γ）＝（１／２）・（β−β１+）／（β３−β１+）
β≧β１+ のとき、 ｗ３1（β，γ）＝０
β＜β３のとき、 ｗ３2（β，γ）＝０
β３≦β＜β４のとき、 ｗ３2（β，γ）＝（１／２）・（β−β４）／（β３−β４）
β≧β４のとき、 ｗ３2（β，γ）＝０
β≦β３のとき、 Ｗ４（β，γ）＝０
β３＜β≦β４のとき、 Ｗ４（β，γ）＝（１／２）・（β−β３）／（β４−β３）
β４＜β＜β２+のとき、Ｗ４（β，γ）＝（１／２）・（β−β２+）／（β４−β２+）
β≧β２+のとき、 Ｗ４（β，γ）＝０
ここで、
β１± ＝−３ｐπ±π−２γ
β２± ＝−ｐπ±π−２γ
β３± ＝ｐπ±π−２γ
β４± ＝３ｐπ±π−２γ であり、
βはガントリ角度であり、γは検出器角度である、
である、加重投影データ配列を発生する工程と、
（ｃ） 工程（ｂ）で発生された投影データ配列から、スライス像を構成するために用いられる像データ配列を発生する工程とを備えた物体の断層写真像を作成する方法。
【請求項２】
前記像データ配列を発生する工程は、各々の加重投影データ配列にフィルタ作用及び逆投影を行う工程を含んでいる請求項１に記載の方法。
【請求項３】
フィルタ作用及び逆投影を行う前に、同じガントリ角度であるが、相異なる検出器列からのデータ配列が組み合わされる請求項２に記載の方法。
【請求項４】
第１のデータ列にある投影ビューが第４のデータ列にある投影ビューから３６０°である場合、フィルタ作用及び逆投影を行う前に、これらのビューを組み合わせる請求項３に記載の方法。
【請求項５】
前記投影データ配列の各々に加重関数を適用する前に、該データを相次ぐスライスを再生するためのシステム・メモリに記憶する請求項２に記載の方法。
【請求項６】
所望のスライス輪郭がデータ配列によって形成される輪郭よりも一層厚手である場合に、所望のスライス輪郭内にある多数の薄いスライスが加算される請求項２に記載の方法。
【請求項７】
螺旋走査で収集された投影データから物体の断層写真像を作成する装置であって、各々のＸ線扇形ビームから得られたデータに対応する投影データ配列を発生する手段と、該投影データ配列を発生する手段により発生された前記投影データ配列の各々に加重関数を適用して、それぞれの加重投影データ配列を発生する手段であって、各々のデータの組に適用される加重関数は、Ｗ１（β，γ）、Ｗ２（β，γ）、Ｗ３（β，γ）及びＷ４（β，γ）として表すと、
テーブル送り速度ｓ及び検出器のＺ軸間隔ｄが、式（４π／（π−２γm ））ｄ＜ｓ＜（６π／（π−２γm ））ｄの関係を満たすとき（γm は扇形角度の半分）であって、
β≦β３-のとき、 Ｗ１（β，γ）＝０
β３-＜β≦β１のとき、Ｗ１（β，γ）＝（１／２）・（β−β３-）／（β１−β３-）
β１＜β＜β２のとき、Ｗ１（β，γ）＝（１／２）・（β−β２）／（β１−β２）
β≧β２のとき、 Ｗ１（β，γ）＝０
β≦β３-のとき、 Ｗ２（β，γ）＝０
β３-＜β≦β２のとき、Ｗ２（β，γ）＝ｗ２1（β，γ）＋ｗ２2（β，γ）
β２＜β＜β３のとき、 Ｗ２（β，γ）＝（β−β３）／（β２−β３）
β≧β３のとき、 Ｗ２（β，γ）＝０
ここで、
β≦β１のとき、 ｗ２1（β，γ）＝０
β１＜β≦β２のとき、 ｗ２1（β，γ）＝（１／２）・（β−β１）／（β２−β１）
β≧β２のとき、 ｗ２1（β，γ）＝０
β≦β４-のとき、 ｗ２2（β，γ）＝０
β４-＜β≦β２のとき、ｗ２2（β，γ）＝（１／２）・（β−β４-）／（β２−β４-）
β＞β２のとき、 ｗ２2（β，γ）＝０
β≦β２のとき、 Ｗ３（β，γ）＝０
β２＜β＜β３のとき、 Ｗ３（β，γ）＝（β−β３）／（β２−β３）
β３≦β＜β２+のとき、Ｗ３（β，γ）＝ｗ３1（β，γ）＋ｗ３2（β，γ）
β≧β２+のとき、 Ｗ３（β，γ）＝０
ここで、
β＜β３のとき、 ｗ３1（β，γ）＝０
β３≦β＜β１+のとき、ｗ３1（β，γ）＝（１／２）・（β−β１+）／（β３−β１+）
β≧β１+ のとき、 ｗ３1（β，γ）＝０
β＜β３のとき、 ｗ３2（β，γ）＝０
β３≦β＜β４のとき、 ｗ３2（β，γ）＝（１／２）・（β−β４）／（β３−β４）
β≧β４のとき、 ｗ３2（β，γ）＝０
β≦β３のとき、 Ｗ４（β，γ）＝０
β３＜β≦β４のとき、 Ｗ４（β，γ）＝（１／２）・（β−β３）／（β４−β３）
β４＜β＜β２+のとき、Ｗ４（β，γ）＝（１／２）・（β−β２+）／（β４−β２+）
β≧β２+のとき、 Ｗ４（β，γ）＝０
ここで、
β１± ＝−３ｐπ±π−２γ
β２± ＝−ｐπ±π−２γ
β３± ＝ｐπ±π−２γ
β４± ＝３ｐπ±π−２γ であり、
βはガントリ角度であり、γは検出器角度である、
加重投影データ配列を発生する手段と、該投影データ配列からスライス像を構成する手段とを備えた物体の断層写真像を作成する装置。
【請求項８】
前記像データ配列を発生する手段は、各々の加重投影データ配列にフィルタ作用及び逆投影を行う手段を含んでいる請求項７に記載の装置。
【請求項９】
所望のスライス輪郭内にある多数の薄いスライスを加算する手段を更に含んでいる請求項７に記載の装置。
【発明の詳細な説明】
【０００１】
【産業上の利用分野】
本発明は、一般的には計算機断層写真（ＣＴ）作像に関し、更に具体的に言えば、４つの扇形ビームを用いた螺旋走査から収集されたデータからの像の再生に関する。
【０００２】
【従来の技術】
ＣＴシステムでは、Ｘ線源が扇形ビームを投射し、この扇形ビームは、「作像平面」と呼ばれる直角座標系のＸ−Ｙ平面内に来るようにコリメートされる。Ｘ線ビームは患者のような作像されるべき物体を通過し、放射線検出器の線形配列に入射する。透過した放射線の強度は、物体によるＸ線ビームの減衰に関係する。線形配列の各々の検出器は、ビームの減衰量の測定値である別々の電気信号を発生する。すべての検出器からの減衰測定値を別々に収集して、透過輪郭を形成する。
【０００３】
ＣＴシステムのＸ線源及び線形検出器配列は、ガントリと共に作像平面内で物体の周りを回転し、Ｘ線ビームが物体と交わる角度が絶えず変化するようにする。１つのガントリ角度における検出器配列からの一群のＸ線減衰測定値が、「ビュー（図）」と呼ばれる。物体の「走査（スキャン）」は、Ｘ線源及び検出器が１回転する間の相異なるガントリ角度で求められた１組のビューで構成される。軸方向走査では、物体を通るように切られた２次元スライスに対応する像を構成するようにデータが処理される。１組のデータから像を再生する１つの方法が、この分野ではフィルタ付き逆投影（バック・プロジェクション）方式と呼ばれている。この方法は、走査からの減衰測定値を「ＣＴ数」又は「ハウンズフィールド単位」と呼ばれる整数に変換し、このような整数を用いて、陰極線管表示装置における対応する画素の輝度を制御する。
【０００４】
多数のスライスに必要な合計走査時間を短縮するために、「螺旋（ヘリカル）」走査を実施することができる。「螺旋」走査を実施するためには、所定数のスライスに対するデータを収集する間に、患者を移動させる。４ビーム螺旋走査を用いて、合計走査時間を更に短縮することができる。このような走査は、４列の検出器が相異なる軸方向の位置における投影測定値を同時に収集するＣＴシステムを利用して行われる。４つの検出器列は４つの扇形ビームを画定する。このようなシステムは、普通の扇形ビーム１つの螺旋走査からの単一の螺旋とは対照的に、互いに織り込まれた四重の螺旋を発生する。４つの扇形ビームによって写像（マップ）された互いに織り込まれた螺旋が、投影データを発生し、この投影データから各々の所定のスライス内の像を再生することができる。
【０００５】
勿論、４ビーム螺旋走査で得られたデータから、アーティファクトを最低レベルにして品質の高い像が得られるような形で像を再生することが望ましい。このような像を再生するのに要する合計時間を短縮することも望ましい。
【０００６】
【発明の要約】
本発明の一形式では、４ビーム螺旋走査によって得られたデータを用いて、像の再生を実行する装置を提供する。更に具体的に言うと、本発明の一形式によれば、各々の扇形ビームによって収集された投影データから、投影空間データ配列が選択される。次に、各々の配列内のデータに加重して、患者の並進運動を補正し、データ冗長効果を打ち消す。その後、加重データを用いて像を再生する。
【０００７】
更に具体的に言うと、像を再生するときに、投影データ配列を発生する。投影データ配列は、作像されるべきスライスに関連したデータ平面に対応する。次に、データ配列に加重係数を適用して、各々の特定のデータ要素に重みを割り当てる。この後、加重投影データ配列をフィルタ作用にかけて逆投影し、像データ配列を発生する。その後、像データ配列を加算して、スライス像データ配列を発生する。
【０００８】
患者の４ビーム螺旋走査を用いると、合計の患者走査時間が短くなるという利点がある。更に、上に述べた像再生アルゴリズムにより、患者テーブル並進速度が高くなっても、品質の高い像スライスを発生することができるという利点が得られる。
【０００９】
【実施例】
図１及び図２について説明すると、計算機断層写真（ＣＴ）作像システム１０が、「第三世代」ＣＴスキャナを代表するガントリ１２を含んでいる。ガントリ１２はＸ線源１４を有しており、Ｘ線源１４は、ガントリ１２の反対側にある検出器配列１８に向かってＸ線ビーム１６を投射する。検出器配列１８は検出器素子２０によって形成されており、これらの検出器素子は、医療の患者２２を通過する投射されたＸ線を一緒に感知する。検出器素子２０の各々は、入射するＸ線ビームの強度、従って患者２２を通過するときのビームの減衰を表す電気信号を発生する。Ｘ線投影データを収集する走査の間に、ガントリ１２及びその上に取り付けられた部品が回転中心２４の周りを回転する。
【００１０】
ガントリ１２の回転及びＸ線源１４の動作は、ＣＴシステム１０の制御機構２６によって制御される。制御機構２６は、Ｘ線源１４に対する電力及びタイミング信号を供給するＸ線制御装置２８と、ガントリ１２の回転速度及び位置を制御するガントリ・モータ制御装置３０とを含んでいる。制御機構２６にあるデータ収集システム（ＤＡＳ）３２が、検出器素子２０からのアナログ・データをサンプリングし、この後の処理のために、このデータをディジタル信号に変換する。像再生装置３４が、ＤＡＳ３２からサンプリングされてディジタル化されたＸ線データを受け取り、高速の像再生を行う。再生された像はコンピュータ３６に対する入力として印加され、このコンピュータは、大容量記憶装置３８に像を記憶する。
【００１１】
コンピュータ３６は又、キーボートを有しているコンソール４０を介して、オペレータからの指令及び走査パラメータを受け取る。関連した陰極線管表示装置４２が、オペレータが再生された像及びコンピュータ３６からのその他のデータを観察することができるようにする。オペレータから供給された指令及びパラメータはコンピュータ３６で用いられて、ＤＡＳ３２、Ｘ線制御装置２８及びガントリ・モータ制御装置３０に対する制御信号及び情報を供給する。更に、コンピュータ３６は、ガントリ１２内で患者２２を位置決めするためにモータ式テーブル４６を制御するテーブル・モータ制御装置４４を動作させる。特に、テーブル４６は患者２２の一部をガントリ開口４８内に通す。
【００１２】
図３に示すように、４扇形ビーム・システムでは４列の検出器が画定されている。Ｘ線扇形ビームは、事実上、回転のＺ軸に沿って変位した４つの扇形ビームに分割される。隣接したビームの中心の間の距離は、ガントリの回転軸線の所で測定したときに、Ｄである。
像再生装置３４は図４に更に詳しく示されている。具体的に言うと、各々の扇形ビームに対するＤＡＳ３２からのデータの各々のビューをそれぞれの前処理装置５２Ａ〜５２Ｄで受け取り、そこで、それぞれのビームは、ビーム硬化、検出器及びチャンネル利得のオフセット及び変動のような周知の種々の誤差を補正するために前処理される。更に、負の対数を求めて投影データとし、この投影データは投影データ配列５４Ａ〜５４Ｄに記憶される。
【００１３】
各々のビーム配列５４Ａ〜５４Ｄの投影データを読み出し、対応する加重関数５６Ａ〜５６Ｄが掛算器５８Ａ〜５８Ｄで適用される。加重投影データは、加重投影データ配列６０Ａ〜６０Ｄ内の対応する位置に書き込まれ、この加重投影データをフィルタ作用及び逆投影にかけて（６２Ａ〜６２Ｄ）、ビーム像データ配列６４Ａ〜６４Ｄを発生する。
【００１４】
この後、像データ配列６４Ａ〜６４Ｄを参照番号６６の所で加算して、スライス像データ配列６８を発生する。具体的に言うと、ビーム１の配列にある各々の画素の大きさを、ビーム２の配列、ビーム３の配列及びビーム４の配列にある対応する画素の大きさと加算する。その結果得られたスライス像配列６８は、後で用いるために記憶され、又はオペレータに対して表示され得る。像データ配列６４Ａ〜６４Ｄを発生した後にデータを加算する代わりに、同じガントリ（ビュー）角度であるが、異なる検出器列からの投影を、データのフィルタ作用及び逆投影の前に組み合わせることができる。このような組み合わせは、処理の負担を軽減させる。
【００１５】
本発明は一形式では、ある所定の条件の下で４ビーム走査が実行されたときに、加重投影データ配列６０Ａ〜６０Ｄを発生することに特に関連する。以下の説明では、ｄはガントリの回転軸線の所で測定された検出器列（Ｚ方向）の間隔を表し、ｓは（１回転当たりの）テーブル送り速度を表し、ｐはｄとｓとの比を表す。即ち、
ｐ＝ｄ／ｓ                                                  （１）
図５に示すように、データ平面Ｐ1 、Ｐ2 、Ｐ3 及びＰ4 が、再生しようとするスライスＰと線Ｌ1 Ｍ1 、Ｌ2 Ｍ2 、Ｌ3 Ｍ3 及びＬ4 Ｍ4 で交わっている。これらの線の関数は、次のように表すことができる。
【００１６】
Ｌ1 Ｍ1 ：  β１＝−３ｐπ
Ｌ2 Ｍ2 ：  β２＝−ｐπ
Ｌ3 Ｍ3 ：  β３＝ｐπ
Ｌ4 Ｍ4 ：  β４＝３ｐπ                                    （２）
ここで、βはガントリ角度に等しい。線Ｌ1 Ｍ1 、Ｌ2 Ｍ2 、Ｌ3 Ｍ3 及びＬ4 Ｍ4 は、下に示すように＋及び−の組で表す「鏡像（ミラー）」線を有している。
【００１７】
β１± ＝−３ｐπ±π−２γ
β２± ＝−ｐπ±π−２γ
β３± ＝ｐπ±π−２γ
β４± ＝３ｐπ±π−２γ                                  （３）
ここで、γは検出器角度に等しい。
【００１８】
テーブル送り速度ｓ及び検出器のＺ軸間隔ｄが、式（４π／（π−２γm ））ｄ＜ｓ＜（６π／（π−２γm ））ｄの関係を満たすときに（ここで、γm は扇形角度の半分と定義する。）、Ｗ１（β，γ）、Ｗ２（β，γ）、Ｗ３（β，γ）及びＷ４（β，γ）で表す各々のデータの組に適用されるべき螺旋加重係数は、次のようになる。
【００１９】
β≦β３-のとき、 Ｗ１（β，γ）＝０
β３-＜β≦β１のとき、Ｗ１（β，γ）＝（１／２）・（β−β３-）／（β１−β３-）
β１＜β＜β２のとき、Ｗ１（β，γ）＝（１／２）・（β−β２）／（β１−β２）
β≧β２のとき、 Ｗ１（β，γ）＝０  （４）
β≦β３-のとき、 Ｗ２（β，γ）＝０
β３-＜β≦β２のとき、Ｗ２（β，γ）＝ｗ２1（β，γ）＋ｗ２2（β，γ）
β２＜β＜β３のとき、 Ｗ２（β，γ）＝（β−β３）／（β２−β３）
β≧β３のとき、 Ｗ２（β，γ）＝０  （５）
ここで、
β≦β１のとき、 ｗ２1（β，γ）＝０
β１＜β≦β２のとき、 ｗ２1（β，γ）＝（１／２）・（β−β１）／（β２−β１）
β≧β２のとき、 ｗ２1（β，γ）＝０
β≦β４-のとき、 ｗ２2（β，γ）＝０
β４-＜β≦β２のとき、ｗ２2（β，γ）＝（１／２）・（β−β４-）／（β２−β４-）
β＞β２のとき、 ｗ２2（β，γ）＝０
β≦β２のとき、 Ｗ３（β，γ）＝０
β２＜β＜β３のとき、 Ｗ３（β，γ）＝（β−β３）／（β２−β３）
β３≦β＜β２+のとき、Ｗ３（β，γ）＝ｗ３1（β，γ）＋ｗ３2（β，γ）
β≧β２+のとき、 Ｗ３（β，γ）＝０  （６）
ここで、
β＜β３のとき、 ｗ３1（β，γ）＝０
β３≦β＜β１+のとき、ｗ３1（β，γ）＝（１／２）・（β−β１+）／（β３−β１+）
β≧β１+ のとき、 ｗ３1（β，γ）＝０
β＜β３のとき、 ｗ３2（β，γ）＝０
β３≦β＜β４のとき、 ｗ３2（β，γ）＝（１／２）・（β−β４）／（β３−β４）
β≧β４のとき、 ｗ３2（β，γ）＝０
β≦β３のとき、 Ｗ４（β，γ）＝０
β３＜β≦β４のとき、 Ｗ４（β，γ）＝（１／２）・（β−β３）／（β４−β３）
β４＜β＜β２+のとき、Ｗ４（β，γ）＝（１／２）・（β−β２+）／（β４−β２+）
β≧β２+のとき、 Ｗ４（β，γ）＝０  （７）
加重関数によって定められたデータ平面内の領域が図６及び図７に示されている。図７の陰影線を施した区域は、像スライスを再生するために用いられる各々のデータ平面からのデータを表す。扇形角度２γm ＝π／４のときに、この像再生アルゴリズムの作用し得る範囲は、１６／３ｄ＜ｓ＜８ｄである。
【００２０】
式（４）から式（７）に示した加重関数は連続している。しかしながら、この各々の式の１次微分は境界線で不連続である。必要であれば、境界にわたって数チャンネル（〜１０チャンネル）にフェザリングを施すことによって、この不連続性を除去することができる。
一旦加重して加重投影データ配列６０Ａ〜６０Ｄを作成したら、処理時間を短縮するために、フィルタ作用及び逆投影の前に、同じガントリ（ビュー）角度であるが、異なる検出器列からの投影を組み合わせることができる。データ列１にある投影ビューは、データ列４にある対応する投影ビューから３６０°離れている。これらのビューの対をフィルタ作用の前に更に組み合わせて、処理負担の不必要な増加を除くことができる。
【００２１】
前に述べたアルゴリズムについて述べると、概略的に、１つのスライスを再生するために３．６７π相当の投影データを前処理する必要がある。従来の走査（軸方向及び螺旋の両方）で像を再生するのに必要なデータ量に比べると、４ビーム螺旋走査では、前処理の負担が１．８倍に増加する。
隣接するスライスを再生するのに必要な投影データは、ビューの角度βの原点を垂直にずらして、再生しようとする新しいスライスと整合させることにより確認することができる。大抵の場合、各々のデータの組にある１つのスライスに対するデータと、隣接するスライスに対するデータとの間にはかなりの重なりがある。加重する前には、前処理はスライスの位置には関係しない。このため、（螺旋加重をしない）前処理の結果を、将来再び用いるためにバッファに記憶することができる。これにより、大抵の場合には、前処理の負担が大幅に軽減される。遡及形の再生では特に、前処理の負担が大幅に軽減される。
【００２２】
所望のスライス輪郭が、上に述べたデータ及び再生アルゴリズムによって形成される輪郭よりも一層厚手である場合には、所望のスライス輪郭内にある多数の薄いスライスを加算することにより、一層厚手のスライスを導き出すことができる。多数の薄いスライス自体に関心がない場合には、多数の薄いスライスを再生する中間工程を側路して、投影領域の早い段階で、対応する加算を実行することができる。こうすると、計算の負担及び像を記憶する負担が減少する。このときの加重関数は、データ平面を対応してずらしたものを加算することにより導き出すことができる。
【００２３】
本発明の種々の実施例についてこれまで説明したところから、本発明の目的が達成されたことは明らかである。本発明を詳細に説明すると共に図面に例示したが、これは例示に過ぎず、本発明を制約するものと解してはならないことは言うまでもない。例えば、ここで説明したＣＴシステムは、Ｘ線源及び検出器の両方がガントリと共に回転する「第三世代」システムである。検出器が完全リングの不動の検出器であって、Ｘ線源のみがガントリと共に回転する「第四世代」システムを含めて、他の多くのＣＴシステムを用いることができる。従って、本発明の要旨は、特許請求の範囲のみによって限定されることを承知されたい。
【図面の簡単な説明】
【図１】ＣＴ作像システムの見取図である。
【図２】図１に示すシステムの概略ブロック図である。
【図３】Ｚ軸に沿った４ビームＸ線の概略断面図である。
【図４】図２のＣＴ作像システムの一部を形成している像再生装置のブロック図である。
【図５】像スライスと４つのデータ平面との交差を示す図である。
【図６】データ平面及び種々のデータ領域を示す図である。
【図７】像スライスを構成するために利用される選択されたデータ領域及び４つのデータ平面を示す図である。
【符号の説明】
１０  計算機断層写真（ＣＴ）作像システム
１２  ガントリ
１４  Ｘ線源
１６  Ｘ線ビーム
１８  検出器配列
２０  検出器素子
２４  回転中心
２６  制御機構
２８  Ｘ線制御装置
３０  ガントリ・モータ制御装置３０
３２  データ収集システム（ＤＡＳ）
３４  像再生装置
３６  コンピュータ
３８  大容量記憶装置
４０  コンソール
４２  陰極線管表示装置
４６  モータ式テーブル
４８  ガントリ開口
５４Ａ〜５４Ｄ  投影データ配列
５６Ａ〜５６Ｄ  加重関数
５８Ａ〜５８Ｄ  掛算器
６０Ａ〜６０Ｄ  加重投影データ
６２Ａ〜６２Ｄ  フィルタ作用及び逆投影
６４Ａ〜６４Ｄ  像データ配列
６８  スライス像データ配列
【図１】
0003917684.tif 000002
【図２】
0003917684.tif 000003
【図３】
0003917684.tif 000004
【図４】
0003917684.tif 000005
【図５】
0003917684.tif 000006
【図６】
0003917684.tif 000007
【図７】
0003917684.tif 000008